(57)【要約】【課題】  発生する音の指向性や音質を容易に変えることができる音響装置を提供する。【解決手段】  音響装置１Ａのフレーム３０には、ダイアフラム２１を露出させる開口３１が形成されている。ダイアフラム２１は、エッジ２２を介してプレート２５に支持され、プレート２５は、バッフル板１０に固定される。フレーム３０は、バッフル板１０の収容部１１の内周面１４とフレーム３０の外周面３４との間に働く摩擦力により収容部１１に着脱可能に保持される。音響装置１Ａでは、開口３１を取り囲む開口周辺領域３２の形状が異なる複数のフレーム３０が準備される。複数のフレーム３０のうちのユーザによって選択された１つのフレーム３０がバッフル板１０に取り付けられる。【選択図】図１
2017158060.tif 000002
【特許請求の範囲】
【請求項１】
ダイアフラムと、
前記ダイアフラムを露出させる開口が形成されたフレームを収容する収容部と、を有し、
前記収容部は、前記収容部の内周面と前記フレームの外周面との間に働く摩擦力により前記フレームを着脱可能に保持することを特徴とする音響装置。
【請求項２】
ダイアフラムと、
前記ダイアフラムを支持するプレートと、を有し、
前記プレートの正面には、突起部または窪み部が設けられており、
前記プレートの突起部または窪み部は、前記ダイアフラムを露出させる開口が形成されたフレームの背面に設けられた突起部または窪み部に組み合わされて前記フレームを着脱可能に保持することを特徴とする音響装置。
【請求項３】
前記フレームの正面には、前記ダイアフラムを露出させる開口が形成された他のフレームを着脱可能に積み重ねて保持する突起部または窪み部が設けられる
ことを特徴とする請求項２に記載の音響装置。
【請求項４】
ダイアフラムと、
前記ダイアフラムを露出させる開口が形成されたフレームと、を有し、
前記フレームにおいて前記開口を取り囲む開口周辺領域の前記フレームの厚さ方向の断面形状が前記フレームの周方向で変化しており、
前記ダイアフラムを中心にして前記フレームを周方向に回転可能な構成としたことを特徴とする音響装置。
【請求項５】
前記ダイアフラムを支持するとともに、前記フレームを支持するプレートと、
前記プレートが固定されたバッフル板に対する前記フレームの周方向の相対角度を保持する角度保持手段と、
を有することを特徴とする請求項４に記載の音響装置。
【発明の詳細な説明】
【技術分野】
【０００１】
この発明は、ドーム型スピーカユニット等の音響装置に関する。
【背景技術】
【０００２】
特許文献１には、従来の音響装置の一例であるドーム型スピーカユニットが開示されている。特許文献１のドーム型スピーカユニットは、ドーム状のダイアフラムを露出させる開口が形成されたフレームを有する。このフレームには、開口を取り囲む領域（以下、開口周辺領域という）があり、フレームの正面（音の放射方向を向いた面）において、この開口周辺領域はすり鉢状に傾斜している。そして、この傾斜した開口周辺領域の外側には、ダイアフラムを支持するプレートと平行な平坦部がある。そして、開口周辺領域とその外側の平坦部との境界（以下、開口周縁部という）の形状は、正面側において楕円形となっており、背面側において円形となっている。このドーム型スピーカユニットでは、フレームの正面側の開口周縁部の形状が楕円形であるため、正面側の開口周縁部の形状が円形であるものに比べ、周波数特性において鋭いディップが特定の周波数に生じるのを緩和することができる。
【先行技術文献】
【特許文献】
【０００３】
【特許文献１】特開平６−１３３３９３号公報
【発明の概要】
【発明が解決しようとする課題】
【０００４】
上述のように、フレームに形成された開口はダイアフラムを露出させるため、フレームにおける開口を取り囲む開口周辺領域の形状は、発生する音の音質に影響を及ぼす。また、フレームの開口周辺領域の形状は、発生する音の指向性にも影響を及ぼす。例えば、特許文献１のドーム型スピーカユニットでは、フレームの正面側の開口周縁部の形状が楕円形であるため、その楕円の長軸方向の指向角に比べ、その楕円の短軸方向の指向角が小さくなる。ここでいう指向角は、音の放射方向に沿ってダイアフラムの中心から延びる主軸に対する音の放射方向の広がり角のことである。
【０００５】
ところで、音響装置から放射される音の指向性や音質に関する要求は、音響装置が設置される環境によって異なる。また、この要求は、ユーザの嗜好によっても異なる。しかし、特許文献１のドーム型スピーカユニットでは、ドーム型スピーカユニットに設けられたフレームにより音の指向性や音質が定まる。このため、特許文献１のドーム型スピーカユニットにおいて音の指向性や音質を変えるためには、ドーム型スピーカユニットを取り換えたり、ドーム型スピーカユニットの設置位置を変えたりしなければならない。ここで、音響装置を取り換えた場合、ユーザに経済的な負担がかかる。また、好みの指向性が得られるようにドーム型スピーカユニットの設置位置を変更する作業は、ユーザにとって大変である。
【０００６】
この発明は以上のような事情に鑑みてなされたものであり、発生する音の指向性や音質を容易に変えることができる音響装置を提供することを目的とする。
【課題を解決するための手段】
【０００７】
この発明は、ダイアフラムと、前記ダイアフラムを露出させる開口が形成されたフレームを収容する収容部と、を有し、前記収容部は、前記収容部の内周面と前記フレームの外周面との間に働く摩擦力により前記フレームを着脱可能に保持することを特徴とする音響装置を提供する。
【０００８】
この発明によれば、音響装置に対してフレームを着脱することができる。このため、本音響装置では、フレームを、開口を取り囲む開口周辺領域の形状が異なる他のフレームに交換することができる。このようなフレームの交換によってフレームの開口周辺領域の形状を変えることができるため、本音響装置では、発生する音の指向性や音質を変えることができる。また、フレームの交換は、音響装置を取り換えたり設置位置を変えたりするのに比べ、容易な作業である。従って、本音響装置では、発生する音の指向性や音質を容易に変えることができる。
【０００９】
この発明は、ダイアフラムと、前記ダイアフラムを支持するプレートと、を有し、前記プレートの正面には、突起部または窪み部が設けられており、前記プレートの突起部または窪み部は、前記ダイアフラムを露出させる開口が形成されたフレームの背面に設けられた突起部または窪み部に組み合わされて前記フレームを着脱可能に保持することを特徴とする音響装置を提供する。
【００１０】
この発明によれば、音響装置に対してフレームを着脱することができる。従って、本音響装置においても、フレームの交換によってフレームの開口周辺領域の形状を変えることができ、発生する音の指向性や音質を容易に変えることができる。
【００１１】
この発明は、ダイアフラムと、前記ダイアフラムを露出させる開口が形成されたフレームと、を有し、前記フレームにおいて前記開口を取り囲む開口周辺領域の前記フレームの厚さ方向の断面形状が前記フレームの周方向で変化しており、前記ダイアフラムを中心にして前記フレームを周方向に回転可能な構成としたことを特徴とする音響装置を提供する。
【００１２】
この発明によれば、開口周辺領域における断面形状がフレームの周方向で変化しているフレームをダイアフラムを中心にして周方向に回転することができる。このため、本音響装置では、フレームの回転によって開口周辺領域の姿勢を周方向に変えることができる。これにより、本音響装置では、発生する音の指向性や音質を変えることができる。また、フレームの回転は、音響装置を取り換えたり設置位置を変えたりするのに比べ、容易な作業である。従って、本音響装置では、発生する音の指向性や音質を容易に変えることができる。
【図面の簡単な説明】
【００１３】
【図１】この発明の第１実施形態である音響装置１Ａの構成の一部を示す断面図である。
【図２】音響装置１Ａのフレーム３０−１〜３０−３の構成を示す正面図である。
【図３】この発明の第２実施形態である音響装置１Ｂの構成の一部を示す断面図である。
【図４】音響装置１Ｂのフレーム３０Ｂの構成を示す背面図である。
【図５】この発明の第３実施形態である音響装置１Ｃの構成の一部を示す断面図である。
【図６】音響装置１Ｃのフレーム３０Ｃの構成を示す背面図である。
【図７】音響装置１Ｃの構成の一部を示す正面図である。
【図８】この発明の変形例（３）である音響装置１Ｄの構成の一部を示す断面図である。
【発明を実施するための形態】
【００１４】
以下、図面を参照し、この発明の実施形態について説明する。
＜第１実施形態＞
図１は、この発明の第１実施形態である音響装置１Ａの構成の一部を示す断面図である。音響装置１Ａは、例えば、スピーカである。音響装置１Ａは、バッフル板１０、スピーカユニット２０およびプレート３０を有する。
【００１５】
バッフル板１０は、音響装置１Ａの筐体を構成する正面の板材である。バッフル板１０には、バッフル板１０を貫通し、スピーカユニット２０およびフレーム３０を収容する円形の収容部１１が設けられている。収容部１１では、バッフル板１０の厚さ方向において開口径が階段状に変化している。収容部１１の正面側（図１では上側）の開口径は、収容部１１の背面側（図１では下側）の開口径よりも大きくなっている。
【００１６】
スピーカユニット２０は、ダイアフラム２１、エッジ２２、ボイスコイルボビン２３、ボイスコイル２４、プレート２５、マグネット２６およびヨーク２７を有する。プレート２５は、リング状の板材である。プレート２５の外径は、収容部１１の背面側の開口径よりも大きく、収容部１１の正面側の開口径よりも小さい。プレート２５は、収容部１１の正面側に収容されてバッフル板１０に固定されている。より詳細には、プレート２５は、収容部１１における開口径が変わる部分の正面である底面１２に固定されている。
【００１７】
プレート２５の背面には、収容部１１の背面側の開口径よりも外径が小さいリング状のマグネット２６が固定されている。マグネット２６の内径は、プレート２５の内径と同程度である。ヨーク２７は、磁性体から作られた部材である。ヨーク２７は、マグネット２６の内径よりも外径が大きい円盤部と、マグネット２６の内径よりも外径が小さい円柱部とから構成される。ヨーク２７の円柱部は、ヨーク２７の円盤部の正面の中央において円盤部とつながっている。マグネット２６の背面には、ヨーク２７の円盤部が固定されている。ヨーク２７の円柱部の外周面とマグネット２６の内周面との間には、空隙２８がある。マグネット２６、ヨーク２７および空隙２８は、マグネット２６が発生した磁力線を一巡させる磁気回路を構成する。
【００１８】
空隙２８には、ボイスコイル２４が巻かれたボイスコイルボビン２３が収容される。ボイスコイルボビン２３の正面側端には、正面方向に突出するドーム状のダイアフラム２１が設けられている。また、ボイスコイルボビン２３の正面側端には、プレート２５に接続されたエッジ２２が接続されている。ダイアフラム２１、ボイスコイルボビン２３およびボイスコイル２４は、エッジ２２を介してプレート２５に支持される。ボイスコイル２４に音信号を示す電流が供給されると、ボイスコイル２４およびボイスコイルボビン２３に駆動力が与えられて、ボイスコイルボビン２３に設けられたダイアフラム２１が前後（図１の上下）に振動する。このようなダイアフラム２１の振動によって音が発生する。これにより、音響装置１Ａ外へは正面方向（図１の矢印Ｘ方向）に放音される。
【００１９】
フレーム３０は、フレーム３０を貫通する開口３１が形成された円形のリング状の板材である。フレーム３０において開口３１を取り囲む開口周辺領域３２は、開口面積がフレーム３０の背面側から正面側に進むにつれて広がるように、フレーム３０の正面に対して傾斜している。フレーム３０は、いわゆるトリムリングやウェーブガイドやフェイスプレートなどと呼ばれる部材である。
【００２０】
フレーム３０は、収容部１１の正面側に収容されて、プレート２５の正面側に配置される。フレーム３０は、収容部１１の正面側の内周面１４とフレーム３０の外周面３４との間に働く摩擦力により収容部１１に保持される。収容部１１とフレーム３０との間の摩擦力は、ユーザがフレーム３０を着脱することができる程度の適度な摩擦力である。収容部１１の内周面１４の内寸をフレーム３０の外寸と同じかそれよりも僅かに小さくすることで、フレーム３０を適度な摩擦力を持って収容部１１に収容することができる。フレーム３０が収容部１１に収容された状態で、ダイアフラム２１は、開口３１を介して音響装置１Ａ外に露出する。このように、収容部１１は、ダイアフラム２１がバッフル板１０に支持された状態で、フレーム３０をバッフル板１０に対して着脱可能に保持するフレーム保持手段である。
【００２１】
バッフル板１０の正面の収容部１１付近の一部には、フレーム３０の着脱を補助する窪み部１８が設けられている。ユーザは、窪み部１８に挿入した手指をフレーム３０の外周面に引っ掛けることで、フレーム３０をバッフル板１０から容易に取り外すことができる。
【００２２】
音響装置１Ａでは、開口周辺領域３２の形状が異なる複数のフレーム３０が準備されている。他の表現を用いると、音響装置１Ａでは、開口周辺領域３２の背面側の開口周縁部の形状は各々同じ円形であるが、開口周辺領域３２の正面側の開口周縁部３３（以後、単に開口周縁部３３という）の形状が異なる複数のフレーム３０が準備されている。開口周縁部３３は、フレーム３０の正面と開口周辺領域３２との境界部分である。例えば、音響装置１Ａでは、３個のフレーム３０−１、３０−２および３０−３が準備されている。図２（Ａ）〜図２（Ｃ）は、フレーム３０−１〜３０−３の構成を示す正面図である。
【００２３】
図２（Ａ）に示すフレーム３０−１および図２（Ｂ）に示すフレーム３０−２は、開口周縁部３３の形状が楕円形のものである。開口周縁部３３の形状が楕円形の場合、開口周辺領域３２の形状は、楕円の短軸方向の傾斜に比べて長軸方向の傾斜が緩やかなものとなる。フレーム３０−２の開口周縁部３３は、フレーム３０−１の開口周縁部３３に比べ、扁平率が大きな楕円形となっている。すなわち、フレーム３０−２は、開口周辺領域３２の短軸方向の傾斜がフレーム３０−１の開口周辺領域３２の短軸方向の傾斜よりも急峻なものである。図２（Ｃ）に示すフレーム３０−３は、フレーム３０−２の開口周縁部３３の楕円形２個を互いに垂直に交差させたような開口周縁部３３を有する。フレーム３０−３では、開口周辺領域３２の傾斜が緩やかな部分と傾斜が急な部分のフレーム３０−３の周方向の繰り返し周期がフレーム３０−２に比べて短くなっている。また、複数のフレーム３０（図２（Ａ）〜図２（Ｃ）の例ではフレーム３０−１〜３０−３）の各々の外径は同じである。
【００２４】
音響装置１Ａでは、開口周辺領域３２の形状が異なる複数のフレーム３０のうちからユーザによって選択された１つのフレーム３０がバッフル板１０に取り付けられる。具体的には、ユーザは、好みの指向方向や音質に合わせてフレーム３０−１〜３０−３のうちから１つを選択してバッフル板１０に取り付ける。また、ユーザは、指向方向や音質などを変えたい場合、バッフル板１０に取り付けられているフレーム３０を他のフレーム３０に付けかえる。例えば、フレーム３０−１が取り付けられており、ダイアフラム２１によって発生する音の水平方向の指向角よりも鉛直方向の指向角が小さくなっている状況から、鉛直方向の指向角をさらに小さくしたい、というような場合がある。この場合、ユーザは、フレーム３０−１をバッフル板１０から取り外してフレーム３０−２をバッフル板１０に取り付ければ良い。また、例えば、フレーム３０−２が取り付けられており、ダイアフラム２１によって発生する音の水平方向の指向角よりも鉛直方向の指向角が小さくなっている状況から、水平方向に加えて鉛直方向の指向角も大きくしたい、というような場合がある。この場合、ユーザは、フレーム３０−２をバッフル板１０から取り外してフレーム３０−３をバッフル板１０に取り付ければ良い。
【００２５】
以上のように、本実施形態の音響装置１Ａは、ダイアフラム２１を露出させる開口３１が形成されたフレーム３０を、ダイアフラム２１がバッフル板１０に支持された状態で、バッフル板１０に対して着脱可能に保持するフレーム保持手段を有する。音響装置１Ａにおけるフレーム保持手段は、具体的には、収容部１１の内周面１３とフレーム３０の外周面との間に働く摩擦力によりフレーム３０を保持する収容部１１である。このような構成により、音響装置１Ａでは、ダイアフラム２１がバッフル板１０に支持された状態で、バッフル板１０に対してフレーム３０を着脱することができる。このため、音響装置１Ａでは、フレーム３０を、開口３１を取り囲む開口周辺領域３２の形状が異なる他のフレーム３０に交換することができる。このようなフレーム３０の交換によってフレーム３０の開口周辺領域３２の形状を変えることができるため、音響装置１Ａでは、ダイアフラム２１によって発生する音の指向性や音質を変えることができる。また、フレーム３０の交換は、音響装置を取り換えたり設置位置を変えたりするのに比べ、容易な作業である。従って、音響装置１Ａでは、発生する音の指向性や音質を容易に変えることができる。
【００２６】
また、音響装置１Ａでは、収容部１１の開口形状およびフレーム３０の外縁の形状が円形である。このため、音響装置１Ａでは、バッフル板１０およびダイアフラム２１に対するフレーム３０の周方向の相対角度を変えてフレーム３０をバッフル板１０に取り付けることができる。例えば、ユーザは、開口周縁部３３の長軸が水平になるようにバッフル板１０に取り付けられているフレーム３０−１を取り外し、フレーム３０−１を周方向に９０度回転し、開口周縁部３３の長軸が鉛直となる姿勢でフレーム３０−１をバッフル板１０に取り付ける、という具合である。このように、音響装置１Ａでは、ユーザの好みの相対角度でフレーム３０をバッフル板１０に取り付けることができ、フレーム３０の開口周辺領域３２の姿勢を周方向に変えることができる。このため、音響装置１Ａでは、フレーム３０のバッフル板１０への取り付ける姿勢によっても、ダイアフラム２１によって発生する音の指向性を変えることができる。この点からも、音響装置１Ａでは、発生する音の指向性を容易に変えることができるといえる。
【００２７】
また、発生する音の指向性や音質を変える方法として、音響装置に入力される音信号にフィルタ処理を施す信号処理手段を音響装置に設けることも考えられる。本実施形態の音響装置１Ａは、このような信号処理手段を含む音響装置に比べ、コストを抑えることができる。
【００２８】
フレーム３０−１〜３０−３は、フレーム３０の一例であり、フレーム３０−１〜３０−３の開口周辺領域３２および開口周縁部３３の形状は、図２（Ａ）〜（Ｃ）に例示した形状に限らない。また、開口周辺領域３２および開口周縁部３３の形状が異なるフレーム３０の種類は、３種類に限らない。２種類のフレーム３０が準備されていても良く、３種類よりも多くの種類のフレーム３０が準備されていても良い。
【００２９】
音響装置１Ａでは、バッフル板１０の収容部１１の開口形状およびフレーム３０の外縁の形状が円形であった。しかし、収容部１１の開口形状およびフレーム３０の外縁の形状は、フレーム３０が収容部１１に適度な摩擦力を持って収容可能であれば良く、円形に限らない。例えば、収容部１１の開口形状およびフレーム３０の外縁の形状は、互いに同じ形状の多角形であっても良い。
【００３０】
＜第２実施形態＞
図３は、この発明の第２実施形態である音響装置１Ｂの構成を示す断面図である。音響装置１Ｂは、スピーカユニット２０に代えてスピーカユニット２０Ｂを、フレーム３０に代えてフレーム３０Ｂを有する点において第１実施形態の音響装置１Ａと異なる。
【００３１】
図４は、フレーム３０Ｂの構成を示す背面図である。フレーム３０Ｂは、背面に複数の突起部３９Ｂを有する点においてフレーム３０と異なる。図４の例では、フレーム３０Ｂは、円柱状の突起部３９Ｂを４個有する。突起部３９Ｂの各々の寸法は同じである。突起部３９Ｂは、フレーム３０Ｂの回転中心軸の周りに４回の回転対称となるように、フレーム３０Ｂの周方向の９０度毎に設けられている。また、フレーム３０Ｂの外径は、収容部１１の正面側の開口径よりも小さくなっている。
【００３２】
スピーカユニット２０Ｂは、プレート２５に代えてプレート２５Ｂを有する点においてスピーカユニット２０と異なる。プレート２５Ｂは、その正面におけるダイアフラム２１の周方向に回転対称（例えば４回の回転対称）となる各位置に複数（例えば４個）の窪み部２９Ｂが設けられている点においてプレート２５と異なる。プレート２５Ｂの窪み部２９Ｂは、フレーム３０Ｂの突起部３９Ｂに着脱可能な程度の適度な摩擦力を持って組み合わされてフレーム３０Ｂを着脱可能に保持する。すなわち、突起部３９Ｂおよび窪み部２９Ｂは、フレーム３０Ｂをプレート２５Ｂに着脱可能に保持するフレーム保持手段である。
【００３３】
音響装置１Ｂにおいても、音響装置１Ａと同様に、開口周辺領域３２および開口周縁部３３の形状が異なる複数のフレーム３０Ｂが準備されている。そして、音響装置１Ｂでは、開口周辺領域３２および開口周縁部３３の形状が異なる複数のフレーム３０Ｂのうちからユーザによって選択された１つのフレーム３０Ｂがプレート２５Ｂに取り付けられる。このため、音響装置１Ｂにおいても、音響装置１Ａと同様に、フレーム３０Ｂを開口周辺領域３２および開口周縁部３３の形状が異なる他のフレーム３０Ｂに交換可能である。
【００３４】
また、音響装置１Ｂでは、フレーム保持手段（突起部３９Ｂおよび窪み部２９Ｂ）がフレーム３０Ｂの周方向に（換言するとダイアフラム２１の周方向に）回転対称となる各位置に設けられているため、バッフル板１０およびダイアフラム２１に対するフレーム３０Ｂの周方向の相対角度を変えてフレーム３０Ｂをプレート２５Ｂに取り付けることができる。例えば、４回対称となるように突起部３９Ｂが設けられているフレーム３０Ｂでは、フレーム３０Ｂの周方向の相対角度を９０度単位で変えることができる。このため、音響装置１Ｂにおいても、音響装置１Ａと同様に、フレーム３０の開口周辺領域３２の姿勢を周方向に変えることができる。
【００３５】
従って、本実施形態においても第１実施形態と同様の効果が得られる。
【００３６】
本実施形態では、フレーム３０Ｂにフレーム保持手段の突起部３９Ｂが設けられ、プレート２５Ｂにフレーム保持手段の窪み部２９Ｂが設けられていた。しかし、フレーム３０Ｂにフレーム保持手段として機能する窪み部を設け、プレート２５Ｂにフレーム保持手段として機能する突起部を設けるようにしても良い。また、フレーム３０Ｂに突起部と窪み部を混在して設け、フレーム３０Ｂの突起部および窪み部に各々組み合わされる窪み部および突起部をプレート２５Ｂに設けても良い。
【００３７】
図４の例では、４個の突起部３９Ｂがフレーム３０Ｂに設けられていた。しかし、突起部３９Ｂの個数は４個に限らない。同様に、プレート２５Ｂの窪み部２９Ｂの個数も４個に限らない。突起部３９Ｂが窪み部２９Ｂに組み合わされてフレーム３０Ｂがプレート２５Ｂに着脱可能に保持されれば良いからである。また、突起部３９Ｂおよび窪み部２９Ｂの個数を４個よりも多くすることで、周方向の単位角度を細かくすることができる。また、突起部３９Ｂの個数と窪み部２９Ｂの個数が異なっていても良い。窪み部２９Ｂの個数が突起部３９Ｂの個数以上あれば、フレーム３０Ｂをプレート２５Ｂに保持可能だからである。
【００３８】
また、フレーム保持手段は、フレーム３０Ｂの周方向に（換言するとダイアフラム２１の周方向に）回転対称となる各位置に設けられていた。しかし、そのような回転対称とならずにフレーム保持手段を設けても良い。この態様では、周方向の相対角度を変えてフレーム３０Ｂをプレート２５Ｂに取り付けることはできない。しかし、窪み部２９Ｂが突起部３９Ｂに対応するようにプレート２５Ｂに設けられていれば、突起部３９Ｂが窪み部２９Ｂに組み合わされて、フレーム３０Ｂをプレート２５Ｂに着脱可能に保持することは可能であり、フレーム３０Ｂを交換することが可能だからである。
【００３９】
＜第３実施形態＞
図５は、この発明の第３実施形態である音響装置１Ｃの構成を示す断面図である。音響装置１Ｃは、バッフル板１０に代えてバッフル板１０Ｃ、スピーカユニット２０Ｂに代えてスピーカユニット２０Ｃ、フレーム３０Ｂに代えてフレーム３０Ｃを有する点において第２実施形態の音響装置１Ｂと異なる。
【００４０】
図６は、フレーム３０Ｃの構成を示す背面図である。フレーム３０Ｃは、複数の突起部３９Ｂに代えてリング状の突起部３９Ｃを背面に有する点および板バネ３５を有する点においてフレーム３０Ｂと異なる。フレーム３０Ｃでは、開口３１を取り囲む開口周辺領域３２におけるフレーム３０Ｃの厚さ方向の断面形状がフレーム３０Ｃの周方向で変化している。具体的には、フレーム３０Ｃは、第１実施形態の図２（Ａ）のフレーム３０−１のように開口周縁部３３の形状が楕円形のものである。開口周縁部３３が楕円形であれば、開口周辺領域３２における長軸に沿った断面形状と短軸に沿った断面形状が異なるからである。
【００４１】
図５に示すように、スピーカユニット２０Ｃは、プレート２５Ｂに代えてプレート２５Ｃを有する点においてスピーカユニット２０Ｂと異なる。プレート２５Ｃは、窪み部２９Ｂに代えてリング状の窪み部２９Ｃを正面に有する点においてプレート２５Ｂと異なる。窪み部２９Ｃには、フレーム３０Ｃの突起部３９Ｃが収容される。プレート２５Ｃは、エッジ２２を介してダイアフラム２１を支持するとともに、突起部３９Ｃが設けられたフレーム３０Ｃを窪み部２９Ｃによって周方向に回転可能に支持する。すなわち、突起部３９Ｃおよび窪み部２９Ｃは、フレーム３０Ｃの周方向の回転を案内するガイド手段である。
【００４２】
図７は、板バネ３５付近の音響装置１Ｃの構成の一部を示す正面図である。バッフル板１０Ｃは、収容部１１の正面側の内周面１４にギア部１５を有する点においてバッフル板１０と異なる。ギア部１５は、収容部１１の内側に向かって突出した山部と、山部とは反対方向に窪んだ谷部とが、収容部１１の周方向に繰り返されている部分である。ギア部１５の山部および谷部は、例えば略三角状になっており、周方向に単位角度（例えば５度など）の周期で繰り返されている。
【００４３】
板バネ３５の一方の短辺側は、フレーム３０Ｃの外周面に固定されている。板バネ３５は、板バネ３５の他方の短辺側がフレーム３０Ｃの外周面から外側に位置するように配置されている。板バネ３５のこの他方の短辺側は、フレーム３０Ｃの外周面から外側に向かう方向に略Ｖ字状に折れ曲がっている。板バネ３５のＶ字端の鋭角に折れ曲がっている部分は、ギア部１５の三角状の谷部に丁度収まる。ギア部１５の谷部に収まった状態で、板バネ３５は、フレーム３０Ｃに固定されている端部を支点として、復元力によってギア部１５に押し付けられる。このように、板バネ３５は、フレーム３０Ｃの外周面から収容部１１の内周面１４に向かう方向の力がＶ字端に付与される構成となっている。
【００４４】
フレーム３０Ｃは、ユーザの操作によってその周方向の力が与えられると回転する。フレーム３０Ｃが回転する際、板バネ３５がギア部１５によって持ち上げられる。より詳細には、ギア部１５の谷部に収まっていた板バネ３５のＶ字端は、その谷部の隣の山部によって持ち上げられてその山部を乗り越え、乗り越えた先の谷部に収まる。そして、ユーザの操作による周方向の力がなくなると、板バネ３５のＶ字端は、移動後の谷部においてギア１５を押し付けて、その谷部に収容された状態を維持する。すなわち、ギア部１５および板バネ３５は、バッフル板１０Ｃおよびダイアフラム２１に対するフレーム３０Ｃの周方向の相対角度を保持する角度保持手段である。
【００４５】
以上のように、本実施形態の音響装置１Ｃは、開口周辺領域３２における断面形状がフレーム３０Ｃの周方向で変化しており、ダイアフラム２１を露出させる開口が形成されたフレーム３０Ｃを、ダイアフラム２１を中心にして周方向に回転可能な構成となっている。具体的には、音響装置１Ｃでは、フレーム３０Ｃがプレート２５Ｃに回転可能に支持されており、プレート２５Ｃがバッフル板１０Ｃに固定されており、バッフル板１０Ｃに対するフレーム３０Ｃの周方向の相対角度がギア部１５および板バネ３５によって保持される。このような構成により、音響装置１Ｃでは、開口周辺領域３２における断面形状がフレーム３０Ｃの周方向で変化しているフレーム３０Ｃをダイアフラム２１を中心にして周方向に回転することができる。このため、音響装置１Ｃでは、フレーム３０Ｃの回転によって開口周辺領域３２の姿勢を周方向に変えることができる。具体的には、開口周辺領域３２は、開口周縁部３３の形状が楕円形である形状のため、フレーム３０Ｃを回転すれば、傾斜が急な短軸方向がフレーム３０Ｃの周方向に移動する。このため、ダイアフラム２１によって発生する音の指向角が小さくなる方向がフレーム３０Ｃの回転に応じて周方向に変わる。これにより、音響装置１Ｃでは、ダイアフラム２１によって発生する音の指向性や音質を変えることができる。また、フレーム３０Ｃの回転は、音響装置を取り換えたり設置位置を変えたりするのに比べ、容易な作業である。従って、音響装置１Ｃでは、発生する音の指向性や音質を容易に変えることができる。
【００４６】
フレーム３０Ｃの開口周辺領域３２の形状は、開口周縁部３３が楕円形となる形状に限らない。フレーム３０Ｃの開口周辺領域３２の形状は、例えば、第１実施形態の図２（Ｃ）のフレーム３０−３のような形状であっても良い。また、フレーム３０Ｃの開口周辺領域３２の形状は、フレーム３０Ｃの背面側の開口周縁部の中心に対して正面側の開口周縁部３３の中心が偏心したような形状であっても良い。このような中心が偏心した形状であれば、背面側の開口周縁部と正面側の開口周縁部３３とが共に円形であったとしても、開口周辺領域３２における断面形状はフレームの周方向で変化するからである。
【００４７】
ギア部１５の山部および谷部の繰り返し周期は５度に限らない。ギア部１５の山部および谷部の繰り返し周期を変えることで、フレーム３０Ｃの回転可能な単位角度を粗くしたり細かくしたりすることができるからである。
【００４８】
本実施形態では、フレーム３０Ｃに角度保持手段の板バネ３５が設けられ、バッフル板１０に角度保持手段のギア部１５が設けられていた。しかし、フレーム３０Ｃの外周面に角度保持手段として機能するギア部を設け、バッフル板１０の収容部１１の内周面１４に角度保持手段として機能する板バネを設けるようにしても良い。また、角度保持手段の具体的な構成は、ギア部と板バネの構成に限らない。
【００４９】
本実施形態では、フレーム３０Ｃにガイド手段の突起部３９Ｃが設けられ、プレート２５Ｃにガイド手段の窪み部２９Ｃが設けられていた。しかし、フレーム３０Ｃの背面にガイド手段として機能するリング状の窪み部を設け、プレート２５Ｃの正面にガイド手段として機能するリング状の突起部を設けるようにしても良い。また、ガイド手段の具体的な構成は、突起部と窪み部の構成に限らない。また、角度保持手段は、ガイド手段を兼ねていても良い。
【００５０】
＜他の実施形態＞
以上、この発明の第１〜第３実施形態について説明したが、この発明には他にも実施形態が考えられる。例えば次の通りである。
【００５１】
（１）フレームをバッフル板に対して着脱可能に保持するフレーム保持手段の具体的な構成は、第１および第２実施形態の態様に限らない。例えば、フレームの背面に磁石を設け、この磁石の磁力によってフレームをプレートに着脱可能に保持しても良い。
【００５２】
（２）音響装置１Ａ〜１Ｃでは、窪み部１８がバッフル板１０〜１０Ｃに設けられていた。しかし、窪み部１８と同様な手指を引っ掛けるための手段をフレーム３０〜３０Ｃ側に設けても良い。
【００５３】
（３）音響装置のフレームの正面には、ダイアフラムを露出させる開口が形成された他のフレームを着脱可能に積み重ねて保持する積層フレーム保持手段が設けられても良い。すなわち、音響装置は、複数のフレームを着脱可能に積層する構成であっても良い。図８は、この変形例の一例である音響装置１Ｄの構成の一部を示す断面図である。音響装置１Ｄでは、下層のフレーム３０Ｄの正面に積層フレーム保持手段の一例である窪み部２９Ｄが設けられている。音響装置１Ｄでは、上層のフレーム３０Ｄの背面に突起部３９Ｄが設けられており、突起部３９Ｄが下層のフレーム３０Ｄの窪み部２９Ｄに組み合わされることで下層のフレーム３０Ｄ上に上層のフレーム３０Ｄが積層される。音響装置１Ｄでは、下層から上層に進むにつれて、開口径が大きくなっているとともに、各フレーム３０Ｄにおける背面の開口径に対する正面の開口径の拡大率が小さくなっている。音響装置１Ｄでは、このようなフレーム３０Ｄを積層することで、フレーム３０Ｄの積層枚数が増すごとに指向角を狭くすることができる。このため、音響装置１Ｄでは、正面方向への指向強さをフレーム３０Ｄの積層枚数に応じて変えることができる。
【００５４】
（４）第３実施形態の音響装置１Ｃでは、フレーム３０Ｃを回転する操作をユーザが手動で行っていた。しかし、音響装置は、フレームを回転する操作をアクチュエータ等の駆動機構によって行う構成であっても良い。例えば、フレームの外周面にギア部を設けておき、アクチュエータの一例であるステッピングモータをバッフル板に設置しておく。このステッピングモータのロータの回転軸部材には、収容部１１の正面側の内周面から突出して配置されてフレームのギア部に噛み合わされるギアが連結される。この態様の音響装置では、リモートコントローラなどからの指示に応じてステッピングモータのロータが回転することで、ロータに連結されるギアが回転する。その結果、フレームのギア部の噛み合わせ位置が変わり、フレームが周方向に回転する。この態様においても、第３実施形態と同様の効果が得られる。
【００５５】
（５）各実施形態におけるプレート２５〜２５Ｃは、バッフル板１０〜１０Ｃとは別体の部材であった。しかし、プレートとバッフル板とが一体となっていても良い。すなわち、ダイアフラム２１は、プレートを介さずにバッフル板に直接に支持されていても良い。
【００５６】
（６）各実施形態の音響装置１Ａ〜１Ｄのフレーム３０〜３０Ｄには、ダイアフラム２１の正面の全面を露出させる開口３１が形成されていた。しかし、フレームには、ダイアフラム２１の正面の少なくとも一部を露出させる開口が形成されていれば良い。
【００５７】
（７）各実施形態の音響装置１Ａ〜１Ｄは、マグネット２６とボイスコイル２４とを用いてダイアフラム２１を振動させる導電型スピーカであった。しかし、本音響装置は、導電型スピーカに限らず、静電型スピーカや圧電型スピーカであっても良い。すなわち、本音響装置は、ダイアフラムと、ダイアフラムを露出させる開口が形成されたフレームを保持する手段と、を有し、フレームの着脱が可能な構成であれば良く、ダイアフラムを振動させる具体的な構成がどのようなものであっても良い。
【符号の説明】
【００５８】
１Ａ，１Ｂ，１Ｃ，１Ｄ…音響装置、１０，１０Ｃ…バッフル板、１１…収容部、１２…底面、１４…内周面、１５…ギア部、１８…窪み部、２０，２０Ｂ，２０Ｃ，２０Ｄ…スピーカユニット、２１…ダイアフラム、２２…エッジ、２３…ボイスコイルボビン、２４…ボイスコイル、２５，２５Ｂ，２５Ｃ，２５Ｄ…プレート、２６…マグネット、２７…ヨーク、２８…空隙、２９Ｂ，２９Ｃ，２９Ｄ…窪み部、３０，３０Ｂ，３０Ｃ，３０Ｄ…フレーム、３１…開口、３２…開口周辺領域、３３…開口周縁部、３４…外周面、３５…板バネ、３９Ｂ，３９Ｃ，３９Ｄ…突起部。
【図１】
2017158060.tif 000003
【図２】
2017158060.tif 000004
【図３】
2017158060.tif 000005
【図４】
2017158060.tif 000006
【図５】
2017158060.tif 000007
【図６】
2017158060.tif 000008
【図７】
2017158060.tif 000009
【図８】
2017158060.tif 000010